(57)【要約】【課題】  卓上に置いてロールペーパーを手軽に引き出して使用できるように形成した、使い勝手の良い卓上用のロールペーパーホルダーを提供する。【解決手段】  ロールペーパー１を、芯を横にして回転自在に保持するホルダー部材２と、このホルダー部材２を支持する支持部材３とで形成する。この支持部材３を、設置用のベース部３ａと、このベース部３ａから立ち上げる起立部３ｂとで形成する。この起立部３ｂに、上記のホルダー部材２を設ける。【選択図】  図１
0003157471.tif 000002
【実用新案登録請求の範囲】
【請求項１】
ロールペーパーを、芯を横にして回転自在に保持するホルダー部材と、このホルダー部材を支持する支持部材とで形成され、この支持部材が、設置用のベース部と、このベース部から立ち上げられている起立部とで形成され、この起立部に上記のホルダー部材が設けられていることを特徴とする卓上用のロールペーパーホルダー。
【請求項２】
請求項1記載の卓上用のロールペーパーホルダーであって、支持部材が、側面から見てＬ字形に形成され、この支持部材の起立部の内側面にホルダー部材が設けられていることを特徴とする卓上用のロールペーパーホルダー。
【請求項３】
請求項1又は２記載の卓上用のロールペーパーホルダーであって、ホルダー部材が、起立部に着脱自在に設けられていることを特徴とする卓上用のロールペーパーホルダー。
【請求項４】
請求項１乃至３の何れかに記載の卓上用のロールペーパーホルダーであって、吊り下げ用の取っ手を備えて形成されていることを特徴とする卓上用のロールペーパーホルダー。
【請求項５】
請求項１乃至４の何れかに記載の卓上用のロールペーパーホルダーであって、ホルダー部材が、ペーパーを受ける紙受けを下方に備えて電動式に形成され、紙受けの底面に前縁から奥に向かって切り欠き状の開口部が形成され、この紙受けと支持部材のベース部との間に手指を前方から差し入れる隙間を有してホルダー部材が起立部に設けられていることを特徴とする卓上用のロールペーパーホルダー。
【考案の詳細な説明】
【技術分野】
【０００１】
本考案は、ロールペーパーホルダーに関し、更に詳しくは机やテーブル等に載置して使用する卓上用のロールペーパーホルダーに関するものである。
【背景技術】
【０００２】
従来、ロールペーパーホルダーとしては、例えば特許文献１に記載されているものが知られている。
この従来品は、ロールペーパーを、芯を横にして回転自在に保持する本体部と、この本体部の下側に設けられ、下方に出されるペーパーを受ける紙受けとを備えて形成されている。
【０００３】
而して従来、この種のホルダーは、トイレットルームの壁に取り付けて使用することを前提に形成されていた。
従って従来品の場合は、通常、例えば机やテーブル等の卓上でロールペーパーを引き出して使用することができない、という不便があった。
【先行技術文献】
【特許文献】
【０００４】
【特許文献１】特開２００８−５５０２９号公報
【考案の概要】
【考案が解決しようとする課題】
【０００５】
本考案は、このような従来の実情に鑑み、提案されたものである。
従って本考案の解決しようとする技術的課題は、卓上に置いてロールペーパーを手軽に引き出して使用できるようにし、使い勝手が良くなるよう形成した卓上用のロールペーパーホルダーを提供することにある。
【課題を解決するための手段】
【０００６】
本考案は、上記の課題を解決するため、次のような技術的手段を採る。
即ち、本考案は、図１等に示されるように、ロールペーパー１を、芯を横にして回転自在に保持するホルダー部材２と、このホルダー部材２を支持する支持部材３とで形成され、この支持部材３が、設置用のベース部３ａと、このベース部３ａから立ち上げられている起立部３ｂとで形成され、この起立部３ｂに上記のホルダー部材２が設けられていることを特徴とする（請求項１）。
【０００７】
ここで、ロールペーパー１としては、例えばロール状のウエットティッシュやトイレットペーパー、或いはキッチン用ペーパーがある。ホルダー部材２は、ロールペーパー１を手動で引き出すのでも、電動で送り出すよう形成されているのでも良い。
【０００８】
而して本考案の場合、上記の支持部材３は、側面から見てＬ字形に形成され、この支持部材３の起立部３ｂの内側面にホルダー部材２が設けられているのが好ましい（請求項２）。
なぜならこれによると、ホルダー部材２の構造を簡単化でき、また安定した状態で支持できるからである。この場合、支持部材３は、具体的には、例えば樹脂材、木材、金属材等の材料で板片状に形成したり、或いは太い針金等の線材で枠状に形成することで実現される。
【０００９】
また本考案は、ホルダー部材２が、起立部３ｂに着脱自在に設けられているのが好ましい（請求項３）。
なぜならこれによると、ホルダー部材２又は支持部材３の一方が壊れたときに交換が可能になり、全体を新品に交換する不経済を回避できるからである。またこの場合は、ホルダー部材２が、手動式、電動式、或いは収納する用紙（ウエットティッシュ、トイレットペーパー、キッチンペーパー等）によって形式が異なっても、支持部材３を共通化して使用でき、使い勝手が良くなるからである。
【００１０】
また本考案は、吊り下げ用の取っ手１５を備えて形成されているのが好ましい（請求項４）。
なぜならこれによると、持ち運びが便利になり、一層、使い勝手が良くなるからである。
【００１１】
また本考案は、ホルダー部材２が、ペーパーを受ける紙受け２ｂを下方に備えて電動式に形成され、紙受け２ｂの底面７に前縁から奥に向かって切り欠き状の開口部８が形成され、この紙受け２ｂと支持部材３のベース部３ａとの間に手指を前方から差し入れる隙間Ｓを有してホルダー部材２が起立部３ｂに設けられているのが好ましい（請求項５）。
なぜならこれによると、モータ５で送り出されて紙受け２ｂに堆積するペーパーを、手指で挟んで取り出すことが容易になるからである。
【考案の効果】
【００１２】
本考案は、このようにロールペーパーを、芯を横にして回転自在に保持するホルダー部材と、このホルダー部材を支持する支持部材とで形成され、この支持部材が、設置用のベース部と、このベース部から立ち上げられている起立部とで形成され、この起立部に上記のホルダー部材が設けられているものである。
従って本考案によれば、テーブル等の卓上に置いて使用することができ、構造も簡単で使い勝手が良いものである。
【図面の簡単な説明】
【００１３】
【図１】本考案のホルダーの好適な一実施形態を示す斜視図である。
【図２】同上ホルダーの側面図である。
【図３】同上ホルダーの正面図である。
【図４】支持部材の分解斜視図である。
【図５】ホルダー部材の着脱操作を説明するための要部斜視図である。
【図６】支持部材の要部正面図である。
【図７】ホルダー部材の要部背面図である。
【図８】同上ホルダーの要部平面図である。
【図９】図８のＩＸ−ＩＸ線から見た同上ホルダーの要部縦断面図である。
【考案を実施するための形態】
【００１４】
以下、本考案を実施するための好適な一実施形態を、添付図面に従って説明する。
本考案は、図１等に示されるように、ロールペーパー１としての、例えばトイレットペーパーやロール状のウエットティッシュを、芯を横にして回転自在に保持するホルダー部材２と、このホルダー部材２を支持する支持部材３とで形成されている。
【００１５】
上記のホルダー部材２は、この実施形態では、ロールペーパー１を収納する本体部２ａと、その下方に設けられている紙受け２ｂとで形成されている。本体部２ａは、上面の投入口が前後方向に回動するカバー４で覆われている。このカバー４の前端部は、ペーパーを切断するための鋸歯４ａに形成されている。
【００１６】
また本体部２ａは、ロールペーパー１を自動で送り出すためのモータ５を備え、スイッチ６を入れると、予め設定した長さだけペーパーを送り出し可能に形成されている。また紙受け２ｂは、底面７に堆積するペーパーを手指で上下から挟んで前側から取ることができるよう、底面７に、前縁から奥に向かって切り欠き状の開口部８が形成されている。
【００１７】
また上記の支持部材３は、図１、図２等に示されるように、設置用のベース部３ａと、このベース部３ａから立ち上げられている起立部３ｂとで側面から見てＬ字形に形成されている。ベース部３ａと起立部３ｂは、この実施形態では板材で面状に形成されている。なお、９は、ベース部３ａと起立部３ｂとを連結するため、ベース部３ａと起立部３ｂの角部に設けられている補強兼用の連結部材である。
【００１８】
またこの実施形態では、図４に示されるように、起立部３ｂの内面に、ホルダー部材２との嵌合用のプレート部材１０がネジ１１で重合状に取り付けられている。プレート部材１０は、図４〜図６等に示されるように、嵌合用の蟻溝１０ａが縦向きに左右一対形成されている。
【００１９】
またホルダー部材２は、図７、図８に示されるように、本体部２ａの背面に、上記の蟻溝１０ａと嵌合する雄型の突条１２が、縦向きに左右一対形成されている。これにより、この実施形態では支持部材３に、ホルダー部材２が着脱自在に設けられている。
【００２０】
なお、ホルダー部材２は、紙受け２ｂに折り返し状に堆積するペーパーを、紙受け２ｂの下側から手指を入れて取り出し易くなるよう、紙受け２ｂとベース部３ａとの間に、隙間Ｓがあけられて取り付けられている。
【００２１】
またホルダー部材２は、その本体部２ａの背面の上部に、落下防止用の爪片１３が、横方向に等間隔をあけて計３個、水平状態で後方に突出状に設けられている。そして、図５、図９等に示されるように、この爪片１３が係合する係合部１４が、プレート部材１０の上縁に、凹段差状に形成されている。
【００２２】
またこの実施形態の本考案品は、図１、図２等に示されるように、吊り下げ用の取っ手１５を備えて形成されている。この取っ手１５は、ホルダー部材２の本体部２ａの両側面に下端が枢着され、ホルダー部材２の前後方向に回動可能に設けられている。
【００２３】
次に、この実施形態の本考案品の使用例を説明する。
本考案品は、支持部材３にホルダー部材２を取り付けた状態で、テーブルや机の上に置いて使用する。
【００２４】
ホルダー部材２を支持部材３に取り付ける場合は、図５等に示されるように、使用者は、上記の突条１２を蟻溝１０ａに合わせてホルダー部材２を支持部材３に上方から嵌め付ける。この場合、ホルダー部材２は、爪片１３が係合部１４に係合することにより、脱落が防止される（図９参照）。
【００２５】
而して、この実施形態では、電動でペーパーが送り出されるよう形成されている。従って使用者が、スイッチ６を入れると、モータ５が駆動し、ペーパーが予め設定した長さだけ送り出され、紙受け２ｂに折り返されながら重畳状に堆積する。
【００２６】
そこで使用者は、ペーパーの引き出し箇所をカバー４の鋸歯４ａで切断し、その後、手指を紙受け２ｂの下側の隙間Ｓに差し入れ、ペーパーを上下から挟んで取り出す。
なお、本考案品の置き場所を変えるときは、取っ手１５を引き起こし、取っ手１５を把持して行う。
【符号の説明】
【００２７】
１    ロールペーパー
２    ホルダー部材
３    支持部材
３ａ  ベース部
３ｂ  起立部
【図１】
0003157471.tif 000003
【図２】
0003157471.tif 000004
【図３】
0003157471.tif 000005
【図４】
0003157471.tif 000006
【図５】
0003157471.tif 000007
【図６】
0003157471.tif 000008
【図７】
0003157471.tif 000009
【図８】
0003157471.tif 000010
【図９】
0003157471.tif 000011